(57)【要約】【課題】  簡単な改築工事により既設の建物内に容易に設けることができ、清潔な状態を維持できる分煙室を提供する。【解決手段】  建物の壁７に設けられた窓８と、建物内の空間から隔てるための隔離壁２によって隔てられ、建物の壁に取り付けられるように設けられる分煙室本体１と、建物の壁に沿うように設けられ、分煙室本体と通気部とを連結する壁際スペース１５とを備え、分煙室本体は、その分煙室本体を取り囲む壁面に位置する光触媒付着層と、光触媒付着層を照射するブラックライト５とを備える。【選択図】        図１
0003102491.tif 000002
【実用新案登録請求の範囲】
【請求項１】
建物の壁に設けられた通気部と、
前記建物内の空間から隔てるための隔離壁によって隔てられ、前記建物の壁に取り付けられるように設けられる分煙室本体と、
前記建物の壁に沿うように設けられ、前記分煙室本体と前記通気部とを連結する排気経路とを備え、
前記分煙室本体は、その分煙室を取り囲む壁面に位置する光触媒付着層と、
前記光触媒付着層を照射する紫外線発光体とを備える、分煙室。
【請求項２】
前記分煙室本体は前記建物の壁との間に位置する内壁によって前記建物の壁と隔てられ、前記内壁と前記通気部が設けられた建物の壁とによって形成される壁際スペースが前記排気経路を構成する、請求項１に記載の分煙室。
【請求項３】
前記内壁において、前記建物壁の前記通気部に面する位置にその内壁を開口する開口手段を有する、請求項１または２に記載の分煙室。
【請求項４】
前記分煙室本体は、その建物の壁の側が、前記通気部を含まない部分の建物の壁によって直接囲まれ、前記分煙室と前記通気部とを連結するための排気ダクトが前記建物の壁を伝うように設けられている、請求項１に記載の分煙室。
【請求項５】
前記排気経路内に光触媒が配置され、その光触媒を照射する紫外線発光体をその排気経路内に備える、請求項１〜４のいずれかに記載の分煙室。
【請求項６】
前記分煙室本体から前記建物の壁に設けられた通気部へと排気を促進する排気促進手段を備え、前記隔離壁が、床との間に隙間ができるように前記建物の床面から間隔をあけて設けられている、請求項１〜５のいずれかに記載の分煙室。
【考案の詳細な説明】
【技術分野】
【０００１】
本考案は分煙室に関し、より具体的には既設の建物内に小規模の簡単な改築を加えるだけで、非喫煙者に害を与えず、清潔な状態を維持することができる分煙室に関するものである。
【背景技術】
【０００２】
喫煙の害が呼びかけられ、禁煙運動が叫ばれる一方で、個人による喫煙の自由を主張する喫煙者がいる。他人のすう煙草の害を受けるパッシブスモーキング（受動的喫煙）の影響を除き、また喫煙者の喫煙の自由を妨げないために、公共の場所や職場に分煙室を設ける傾向が強くなっている。このような需要に対応するために、各種の分煙室の提案がなされてきた。
【０００３】
たとえば、煙草のけむり中の粒子状物質などを除去しながら熱損失を防止するために、屋外と分煙室との空気交換を行なうためのファンと、屋外から吸引された空気と分煙室から排出される空気との熱交換を行なう熱交換装置とを備える分煙室が提案されている（特許文献１参照）。この分煙室の構成によれば、分煙室にフレッシュな外気を導入しながら省エネルギーを達成することができる。
【０００４】
また、煙草のけむり中の微粒子を除去するために、活性炭フィルタとユーロベント分類にしたがう所定のフィルタとを組み合せたフィルターユニットを用いた分煙室が知られている（特許文献２参照）。
【０００５】
また、アミノ基を含む化合物に化学結合させてなる、脱臭効果の高い脱臭剤を建材に用いた分煙室の提案もなされている（特許文献３参照）。上記の建材を分煙室の壁などに用いることにより煙草のヤニ臭さのない分煙室を得ることができる。
【特許文献１】特開２００３−６４８９３号公報
【特許文献２】ＷＯ９４／１４０１３（特表平８−５０７８５０号公報）
【特許文献３】特開２００２−３０６５８２号公報
【考案の開示】
【考案が解決しようとする課題】
【０００６】
上記に挙げた分煙室は、分煙室の空気を清浄化するか、煙草のけむり中の微粒子を除去するか、または分煙室内の臭いを除去することを対象とする。しかしながら、分煙室については、上記の問題に行き着く前に、既設の建物内にいかに分煙室のスペースを確保するかという問題がより重要である。これまでなかった隔離的な性格を有する室を既設建物内に設けるだけに、この問題は深刻であり、困難を伴う場合が多い。
【０００７】
本考案は、簡単な改築工事により既設の建物内に、非喫煙者に受け入れられやすい形態で容易に設けることができ、清潔な状態を維持できる分煙室を提供することを目的とする。
【課題を解決するための手段】
【０００８】
本考案の分煙室は、建物の壁に設けられた通気部と、建物内の空間から隔てるための隔離壁によって隔てられ、建物の壁に取り付けられるように設けられる分煙室本体と、建物の壁に沿うように設けられ、分煙室本体と通気部とを連結する排気経路とを備える。そして、分煙室本体は、その分煙室を取り囲む壁面に位置する光触媒付着層と、光触媒付着層を照射する紫外線発光体とを備える。
【０００９】
上記の構成により、簡単な改築工事により、既設の建物内の空間の使用勝手に大きな影響を及ぼすことなく（非喫煙者に受け入れられやすい形態で）分煙室を設けることができ、またその分煙室の内壁を清潔に維持することができる。
【００１０】
なお、光触媒付着層が位置する壁面は、隔離壁、天井壁（天井壁は、隔離壁として当然設けてもよい）、また建物の壁の側に位置する壁（建物の壁自体の場合もある）のうちの任意の１つ以上である。すなわち、上記の壁の組合せを含めていずれでもよいし、そのすべてであってもよい。とくに上記のすべての壁の全面に光触媒付着層を設けることが望ましい。
【００１１】
また、上記の建物の壁に設けられる通気部は、建物に既に設けられている各種の窓（引き窓、押し窓、開き窓など）、換気口、ドア、間隙、また本分煙室の設置の際に設けた換気口、間隙などが該当する。
【００１２】
上記の光触媒は電気的に半導体であり、紫外光によって励起されると電子が伝導帯に励起され、価電子帯に正孔が形成される。電子は酸素分子を活性化して活性酸素Ｏ2-を形成し、また正孔は水分子からヒドロキシルラジカルを形成する。活性酸素は塩素やオゾンよりも有機物を分解する作用が強い。また、ヒドロキシルラジカルは不対電子を有するＯＨ基を含む化合物であるが、その不対電子のために非常に強力な化学反応性を有する。喫煙室のけむりが光触媒物質に接するとき、紫外光が光触媒物質に照射されていれば、けむり中のヤニ成分（脂）は活性酸素やヒドロキシルラジカルと反応して、炭酸ガスや水分子に分解する。このため、ヤニはもはや脂成分ではなく安全な無機物となり、壁や天井にこびり付くことがなくなる。
【００１３】
上記の構成により、天井および／または壁には光触媒物質が付着され、その光付着物質は紫外光に照射されているので、ヤニ成分がこびり付くことが抑制される。また、少しヤニ成分がこびり付くことがあっても、分解が進んだ成分なので、ふき取り等の方法で簡単に除去することができる。
【００１４】
なお、上記の天井壁、隔離壁および床は、周囲の非喫煙場所と喫煙室とを隔離する構成とできればどのようなものでもよい。たとえば、隔離壁は天井壁や床との隙間を無視できれば、パーティションのような物であってもよい。
【００１５】
上記の光触媒としては、二酸化チタン、多孔質珪酸塩など光触媒作用があればどのようなものでもよい。
【考案を実施するための最良の形態】
【００１６】
次に図面を用いて本考案の実施の形態について説明する。
【００１７】
（実施の形態１）
図１は、本考案の実施の形態１における分煙室を示す図である。この分煙室１０は、建物壁７に取り付けられ、建物内の空間１１から隔離されるように配置されている。分煙室本体１は、隔離壁２と、内壁１７と、図示していない天井壁によって囲まれている。隔離壁２には各種のパーティションを用いることができる。また、後で説明する排気ダクトなどの排気促進手段により分煙室本体１から排気が強制的になされるので、隔離壁２と床との間にはある程度、間隙があるほうが好ましい。すなわち、裾あきであるほうが好ましい。上記の壁の分煙室本体１に面する面は光触媒付着処理が施され、二酸化チタン層がこれらすべての壁の全面にわたって形成されている。図１および以後の図において、分煙室本体の壁の表面に形成された光触媒層については省略されている。これら光触媒の作用を発揮させるために、分煙室本体に紫外線発光体であるブラックライト５が配置されている。
【００１８】
光触媒層は、光触媒作用を有する二酸化チタン（ＴｉＯ2）がバインダーによって付着されている。この二酸化チタンは表面にアパタイトの突起が形成された複合二酸化チタンである。アパタイトは六方晶系の鉱物（セラミックス）で、主としてリン酸カルシウムの組成をもつ一群の総称である。狭義のアパタイト（燐灰（りんかい）石）は、理想化学組成Ｃａ5（ＰＯ4）3Ｆである。Ｃａは部分的にＳｒ、Ｍｎ、希土類元素によって置換され、ＦはＯＨ、Ｃｌで置換される。最も普通に存在するリン酸塩鉱物であると同時に，歯・骨の主要構成鉱物である。
【００１９】
このアパタイトが金平糖の突起のように球形ＴｉＯ2の表面に形成された複合二酸化チ
タンが市販されている。球形ＴｉＯ2の直径は３０ｎｍ程度である。二酸化チタンは光触
媒作用を有することが知られていたが、壁や天井などの基材に付着させると、基材を分解して剥離したり、基材の表面性状を劣化させる欠点があった。また、基材との化学反応により二酸化チタンの光触媒作用も低下する問題があった。
【００２０】
しかし、上記のアパタイトの突起を二酸化チタンの表面に設けることにより、二酸化チタンを基材から浮かし、基材に接触させないので、バインダーや溶剤を用いて二酸チタンを壁や天井に吹き付けても、基材を分解することがない。このため、壁や天井に二酸化チタンを付着させるのに、他の粉末材料と同じ方法を用いることが可能になった。また、光触媒作用を発生する二酸化チタンの表面積が大きくなり、強力な光触媒作用を長期にわたって安定して得ることが可能になった。
【００２１】
上記の複合二酸化チタンの天井および壁への付着は、粉末状の複合二酸化チタンをバインダーを含む溶剤に混合し、噴霧器を用いてスプレー塗装などにより行なうことができる。壁はガラス部分などを含んでもよいが、全面が壁パネルで形成されていたり、その壁パネルにクロスが張り付けてあってもよい。上記の複合二酸化チタンは、上述のように径が小さい微粒子であるため、ある程度の透明性を確保することができる。このため、壁にガラスを用いることにより、ある程度、開放的で外部との交流が可能な喫煙室にすることができる。
【００２２】
内壁１７と建物壁７との間には、排気経路を構成する壁際スペース１５が形成され、排気促進手段であるダクト換気扇４は分煙室本体１から壁際スペース１５に向けて排気を促進する。内壁１７には、建物壁７に設けられた通気部である窓８に対応する位置に、開口手段である窓６が設けられている。窓８は、内壁の対応する位置にある窓６から人の手により開閉される。すなわち、毎朝、使用開始の際に分煙室に入室した人が、内壁の窓１７を開けて、窓８を雨の具合など天気を見ながら開く度合いを調節して開け、また終了時に安全確保などのために閉じる。窓６は、少なくとも換気扇４が作動している間は閉じておくことが望ましいが開けておいてもよい。
【００２３】
壁際スペースの内壁には、光触媒層を設け、さらにその光触媒層を照射するブラックライトを配置したほうが好ましい。しかし、光触媒層およびブラックライトを壁際スペース内に配置することが困難であれば、とくに光触媒層およびブラックライトを設ける必要はない。
【００２４】
喫煙者は引き戸３の出入口から入室し、喫煙する。分煙室には人感センサー９が配置されており、入室者の存在を検知して換気扇４を稼動させ、ブラックライト５を点灯する。喫煙によって発生したけむりは、換気扇を通って壁際スペース１５に強制排気され、開けられた窓８から建物外に放出される。けむりに含まれるヤニは分煙室本体の壁に付着するが、光触媒が全面に配置されており、紫外線がそこに照射されているので、ヤニを分解して汚れとして付着させず、また何らかの物が付着しても容易に除去してクリーン化することができる。喫煙者が分煙室から退出したとき、やはり人感センサーがそれを検知して、所定時間経過後に換気扇４およびブラックライト５の運転を休止する。これによって省エネルギーを行なうことができる。
【００２５】
上記の分煙室１０は、建物の壁７に取り付くように配置されるので、建物内での活動に対して最小限の影響を及ぼすにとどまる。また、建物に元からある窓を利用して排気するため、新たに排気路を設ける必要がない。このため、簡単な改築工事により壁際に分煙室を形成することができる。そして、分煙室本体の内壁には光触媒層が形成されているので、内壁にヤニが黄土色にこびりついた状態を避けることができる。このため非喫煙者からも受け入れられやすい。
【００２６】
図２は、図１に示す分煙室の変形例を示す図である。図２に示す分煙室本体１は、建物の２つの壁が交差するコーナー部に設けられ、壁際スペース１５は一方の壁に設けられている。すなわち、他方の壁が図１に示す分煙室における隔離壁の１つを構成するとみることができ、他の部分の構成は図１に示すものと同じである。
【００２７】
（実施の形態２）
図３は、実施の形態２における分煙室を示す図である。図２に示す分煙室１０では、内壁１７が、分煙室本体１の範囲を超えて壁沿いに窓８を含む範囲にまで延びている点に特徴がある。このため壁際スペース１５も分煙室本体１の範囲を超えて窓８を含む範囲にまで延びる。本実施の形態は、建物の壁８のない位置に、やむをえない別の事情により分煙室本体１を配置せざるをえない場合にとる構成例である。
【００２８】
建物の窓８に対応する内壁の位置に、窓６を設け、この窓６を通して建物壁に設けた窓８の開閉を行ない、排気とセキュリティとのバランスをとる。すなわち、分煙室の利用時間は雨の程度などを考慮して適度に窓８を開けて排気を確保し、利用しない時間、たとえば勤務からの退出時は安全を考慮して閉じる。本実施の形態の場合、壁際スペースの壁面における広さが大きくなる。
【００２９】
図４は、図３の分煙室１０を、建物内の側から見た、入口などを省略した正面模式図である。図４に示す分煙室本体１の隔離壁２は、床１１ａとの間に間隙３２があいており、この間隙３２を吸気口として機能させる。排気促進手段として機能するダクト換気扇４は建物内空気をこの間隙から分煙室本体１へと吸い込み、煙草のけむりとともに、建物壁（図示せず）と内壁１７との間に形成された壁際スペースへと排気する。
【００３０】
隔離壁２と床１１ａとの間に間隙３２をあけた構成において、建物内空気が分煙室本体１に吸い込まれる際、建物内空気は隔離壁の面を伝ってダクト換気扇４に吸い寄せられる。このため、喫煙者が煙草のけむりを分煙室内で発生させても、煙草のけむりが隔離壁の表面に接触する機会が少なく、上記けむりに含まれるヤニが隔離壁の表面に付着することが大幅に軽減される。したがって、分煙室本体内に建物内の空気を導入して分煙室本体内の空気を良くしたり、ダクト換気扇に引かれて分煙室本体が大きな負圧になるのを防止するだけでなく、分煙室本体の壁をヤニの付着から守ることができる。
【００３１】
図４において、窓６を開けると建物に既設の図３に示す窓８が表れる。
【００３２】
分煙室本体１の範囲の部分の内壁１７には窓は設けないが、換気扇４によって煙草のけむりなどを含む空気は分煙室本体１から壁際スペース１５へと排気され、窓８を通して外部に放出される。
【００３３】
本実施の形態の場合も、壁際スペースの内面には、光触媒層を設け、さらにその光触媒層を照射するブラックライトを配置したほうが好ましい。しかし、光触媒層およびブラックライトを壁際スペース内に配置することが困難であれば、とくに光触媒層およびブラックライトを設ける必要はない。
【００３４】
本実施の形態の分煙室によっても、既設の建物内の配置を利用して、とくに窓を分煙室本体に含むことができない事情がある場合、内壁を広く形成することにより最小限の影響にとどめて分煙室を簡単な改築工事により作製することができる。また、光触媒層とブラックライトとの作用により分煙室本体の内壁が清潔な状態を維持しやすいことはいうまでもない。さらに、壁際スペースの内面に光触媒層を設け、その光触媒層に紫外線を照射するブラックライトを配置することにより、壁際スペース内の清浄化維持も容易となる。
【００３５】
（実施の形態３）
図５は、本考案の実施の形態３における分煙室を示す図である。本実施の形態の特徴は、実施の形態１および２における排気経路の壁際スペース１５を排気ダクト２１とし、また通気部の窓８を換気口２８とした点に特徴がある。排気ダクト２１は、一方の端を分煙室本体１に配置された換気扇４に、また他方の端を換気口２８に連続させている。本実施の形態の分煙室は、建物壁に換気口２８が開けられており、分煙室本体を、建物空間側から水平に沿って見て、建物壁の換気口を含むように設けることができない場合に用いるのが望ましい。
【００３６】
分煙室本体の内面には光触媒層が設けられ、その光触媒層に紫外線を照射するブラックライト５も設けられる。排気ダクトの内面には、光触媒層を設け、さらにその光触媒層を照射するブラックライトを配置したほうが好ましい。しかし、光触媒層およびブラックライトを壁際スペース内に配置することが困難であれば、とくに光触媒層およびブラックライトを設ける必要はない。
【００３７】
図６は、排気ダクトに光触媒層を配置した構成を示す例である。紫外線を発する紫外線ランプ（ブラックライト）２４の周りの排気管２２内に、気体流通を確保できる程度の密度で光触媒、たとえば粉状の二酸化チタンが配置されている。排気ダクトに換気扇４から送り込まれる分煙室本体からの空気は粉状の二酸化チタンの間の空隙を通って排気される。このとき紫外線ランプからの紫外線を受けて、煙草のけむりなどを分解することが可能となる。この場合、二酸化チタン２３と紫外線ランプ２４との距離は非常に短いので、小さい出力の紫外線ランプでも強力な紫外線を二酸化チタンに照射することができる。このため、煙草のけむりは分解されやすく、外部に放出される空気は煙草のけむりを大幅に減らすことができる。
【００３８】
次に上記実施の形態に示した例も含めて、本考案の変形例を羅列的に説明する。
【００３９】
上記の分煙室本体は、建物の壁との間に位置する内壁によって建物の壁と隔てられ、内壁と通気部が設けられた建物の壁とによって形成される壁際スペースが排気経路を構成するようにできる。
【００４０】
この構成により、排気ダクトなどを引き回すことなく、その分煙室の部分だけで喫煙の排気を行なうことができる。なお、建物壁を建物空間がわから水平に沿って見て、建物壁の通気部が分煙室本体に含まれない場合、内壁が通気部を含む範囲にまで広く形成され、したがって壁際スペースも通気部を含む範囲にまで拡大されて形成される場合を含む。
【００４１】
また、上記の内壁において、建物壁の通気部に面する位置にその内壁を開口する開口手段を有するようにできる。
【００４２】
この構成により、たとえば建物壁の通気部が窓である場合、上記開口手段を開閉させて上記窓などを開閉して安全と衛生とを両立させることができる。なお、上記開閉手段も窓などとすることができる。
【００４３】
上記の分煙室本体は、その建物の壁の側が、通気部を含まない部分の建物の壁によって直接囲まれ、分煙室と通気部とを連結するための排気ダクトが建物の壁を伝うように設けられている。
【００４４】
建物の構造によっては適切な位置に窓のない構成もあり、このような場合、排気ダクトを壁に沿って配置して排気を完成させることができる。
【００４５】
上記の排気経路に光触媒が配置され、その光触媒を照射する紫外線発光体をその排気経路内に備えることができる。
【００４６】
この構成により、排気経路内を清浄に維持することができる。また、建物外に排気された空気を清浄にして悪臭など近隣の迷惑を避けることができる。
【００４７】
上記の分煙室本体から建物の壁に設けられた通気部へと排気を促進する排気促進手段を備え、隔離壁が、床との間に間隙ができるように建物の床面から間隔をあけて設けられるようにできる。
【００４８】
この構成により、建物内の空気が間隙を通って、分煙室内に入りその隔離壁を伝って上昇するので、喫煙者が煙草のけむりを発生しても、その煙草のけむりが隔離壁に直接触れる度合いを大幅に軽減することができる。このため上記壁への煙草のヤニの付着を大きく抑制することができる。さらに、上記隔離壁と床との間隙は、分煙室の空気を常に清浄に保ち、かつ分煙室の煙草のけむりを建物内部の空間に拡散させず、また分煙室が負圧になるのを防ぐことができる。上記の排気促進手段には、排気ブロア、換気扇など換気を促進するものであれば何でもよい。
【００４９】
上記において、本考案の実施の形態について説明を行ったが、上記に開示された本考案の実施の形態は、あくまで例示であって、本考案の範囲はこれら考案の実施の形態に限定されない。本考案の範囲は、特許請求の範囲の記載によって示され、さらに特許請求の範囲の記載と均等の意味および範囲内でのすべての変更を含むものである。
【産業上の利用可能性】
【００５０】
本考案の分煙室を用いることにより、既設の建物内に非常に簡単な工事により、建物内の空間の利用に対して最小限の影響にとどめ分煙室を設けることができる。また、分煙室は清潔に維持しやすい。このため官公庁、民間を問わず、多くの建物内において広範に利用されることが期待される。
【図面の簡単な説明】
【００５１】
【図１】本考案の実施の形態１における分煙室を示す図である。
【図２】図１の分煙室の変形例である。
【図３】本考案の実施の形態２における分煙室を示す図である。
【図４】図３に示す分煙室の建物内の側から見た正面模式図である。
【図５】本考案の実施の形態３における分煙室を示す図である。
【図６】図５の分煙室に用いる排気ダクトの構造例を示す図である。
【符号の説明】
【００５２】
１  分煙室本体、２  隔離壁、３  引き戸（出入口）、４  換気扇、５  ブラックライト、６  窓（内壁）、７  建物の壁、８  窓（建物壁）、９  人感センサー、１０  分煙室、１１  建物内の空間、１１ａ  床、１５  壁際スペース、１７  内壁、２１  排気ダクト、２２  排気管、２３  粉状の二酸化チタン、２４  紫外線ランプ、３２  間隙。
【図１】
0003102491.tif 000003
【図２】
0003102491.tif 000004
【図３】
0003102491.tif 000005
【図４】
0003102491.tif 000006
【図５】
0003102491.tif 000007
【図６】
0003102491.tif 000008